(57)【要約】【課題】機外静圧をユニット自身で判定し、その機外静圧において定格の風量が得られるように、風量を迅速にかつ精度よく調整することができる空気調和機の風量調整装置を提供することを目的とする。【解決手段】ユニット本体内に熱交換器、ＤＣファンモータ１２が内蔵され、熱交換器で温調された空気がユニット本体に接続される吹出しダクトを介して室内に吹出されるタイプの空気調和機の風量調整装置において、風量調整装置は、予め設定されている２点の回転数でＤＣファンモータ１２を運転し、その際にモータ制御回路２２側からＤＣファンモータ１２に出力されるモータ出力値を読み取り、２点の回転数でのモータ出力値の差から機外静圧を判定し、その機外静圧に基づいて静圧設定毎の回転数テーブルから定格風量が得られるようにＤＣファンモータ１２の回転数を設定する風量調整回路２５を備えている。【選択図】図２
2012241969.tif 000002
【特許請求の範囲】
【請求項１】
ユニット本体内に熱交換器およびＤＣファンモータが内蔵され、前記熱交換器で温調された空気がユニット本体に接続される吹出しダクトを介して室内に吹出されるタイプの空気調和機の風量調整装置において、
前記風量調整装置は、予め設定されている２点の回転数で前記ＤＣファンモータを運転し、その際にモータ制御回路側から前記ＤＣファンモータに出力されるモータ出力値を読み取り、前記２点の回転数でのモータ出力値の差から機外静圧を判定し、該機外静圧に基づいて静圧設定毎の回転数テーブルから定格風量が得られるようにＤＣファンモータの回転数を設定する風量調整回路を備えていることを特徴とする空気調和機の風量調整装置。
【請求項２】
前記風量調整回路は、前記ＤＣファンモータを予め設定されている２点の回転数Ａ，Ｂで運転する運転指令手段と、該運転指令手段からの指令により前記モータ制御回路から前記ＤＣファンモータに出力されるモータ出力値を読み取り、そのモータ出力値の差を算出する演算手段と、該演算手段により算出されたモータ出力値の差から判定表に基づいて機外静圧を判定する判定手段と、その機外静圧に基づいて前記静圧設定毎の回転数テーブルから定格風量が得られるように前記ＤＣファンモータの回転数を設定する回転数設定手段と、前記判定表、静圧設定毎の回転数テーブル等のデータを記憶する記億手段とから構成されていることを特徴とする請求項１に記載の空気調和機の風量調整装置。
【請求項３】
前記モータ制御回路から前記ＤＣファンモータに出力される前記出力値は、回転数指令電圧ＶｓｐＡおよびＶｓｐＢとされ、前記演算手段は、前記回転数指令電圧ＶｓｐＡおよびＶｓｐＢを読み取り、その差ΔＶｓｐを算出し、前記判定手段は、前記演算手段により算出されたΔＶｓｐに基づいて機外静圧を判定し、前記回転数設定手段は、その機外静圧に基づいて静圧設定毎の回転数テーブルからＤＣファンモータの回転数を設定する機能を有していることを特徴とする請求項２に記載の空気調和機の風量調整装置。
【発明の詳細な説明】
【技術分野】
【０００１】
本発明は、温調された空気をユニット本体に接続されているダクトを介して室内に吹出すタイプの空気調和機の風量調整装置に関するものである。
【背景技術】
【０００２】
熱交換器およびファンが内蔵されているユニット本体内で温調された空気を、例えば天井内部等に配設されているダクトを介して室内に吹出すようにしたダクト形の空気調和機では、ファン用のモータにＡＣモータが採用されていた。この場合、一定出力でファンが運転されるため、ダクトの長さや径あるいはその形状等によって通風抵抗が変わり、それによって決まる機外静圧を把握する術がなかった。従って、古い建物等において、ダクトをそのまま流用して空気調和機を据え付けた場合、機外静圧が大きいと、風量がダウンして能力が低下し、逆に機外静圧が小さいと、風量が多すぎてドラフト悪化となる等の問題があった。
【０００３】
そこで、ダクトの長さや径あるいは形状等によって圧力損失が変化しても、指示された一定風量で運転することができるとともに、風量を検出する特別なセンサ等を設けることなく、風量を一定に制御することができるように構成された換気装置用風量一定制御ＤＣファンモータが特許文献１に提示されている。
【０００４】
このＤＣファンモータは、運転風量を指示する風量指示手段によって指示された風量で運転するための、ＤＣモータの各印加電圧での回転数を記憶する記憶手段を備え、回転数検出手段によって検出されたＤＣモータの運転回転数と、記憶手段に記億された現在の指示風量と印加電圧の両方に対応する規定回転数とを比較し、運転回転数と規定回転数とが同回転数となるようにＤＣモータに対する印加電圧を制御する電圧制御手段を備えた構成とされている。
【先行技術文献】
【特許文献】
【０００５】
【特許文献１】特許第３０１２７２１号公報
【発明の概要】
【発明が解決しようとする課題】
【０００６】
しかしながら、特許文献１に示されたものは、予め設定しておいた電圧をＤＣモータに印加して運転を開始し、回転数検出手段で検出されたモータの運転回転数Ｎａと、記憶手段に記億された現在の指示風量Ｑｍと印加電圧Ｖａの両方に対応する規定回転数Ｎｍａとを比較し、運転回転数Ｎａと規定回転数Ｎｍａが同回転数となるまでモータに対する印加電圧を増減しながら繰り返し運転することにより、指示風量を確保し、一定風量での運転を可能としたものであり、このため、調整に時間がかかるとともに、単に運転回転数が規定回転数となるように印加電圧を制御するものである故、制御回路部品や電源電圧、モータ指令電圧等のバラツキを吸収することできず、一定風量に精度よく調整することができない等の課題があった。
【０００７】
本発明は、このような事情に鑑みてなされたものであって、ダクトの長さ、径、形状等により変わる機外静圧をユニット自身で判定し、その機外静圧において定格の風量が得られるように、風量を迅速にかつ精度よく調整することができる空気調和機の風量調整装置を提供することを目的とする。
【課題を解決するための手段】
【０００８】
上記した課題を解決するために、本発明の空気調和機の風量調整装置は、以下の手段を採用する。
すなわち、本発明にかかる空気調和機の風量調整装置は、ユニット本体内に熱交換器およびＤＣファンモータが内蔵され、前記熱交換器で温調された空気がユニット本体に接続される吹出しダクトを介して室内に吹出されるタイプの空気調和機の風量調整装置において、前記風量調整装置は、予め設定されている２点の回転数で前記ＤＣファンモータを運転し、その際にモータ制御回路側から前記ＤＣファンモータに出力されるモータ出力値を読み取り、前記２点の回転数でのモータ出力値の差から機外静圧を判定し、該機外静圧に基づいて静圧設定毎の回転数テーブルから定格風量が得られるようにＤＣファンモータの回転数を設定する風量調整回路を備えていることを特徴とする。
【０００９】
本発明によれば、予め設定されている２点の回転数でＤＣファンモータを運転し、その際にモータ制御回路側からＤＣファンモータに出力されるモータ出力値を読み取り、２点の回転数でのモータ出力値の差から機外静圧を判定し、該機外静圧に基づいて静圧設定毎の回転数テーブルから定格の風量が得られるようにＤＣファンモータの回転数を設定する風量調整回路を備えているため、空気調和機を据え付け後、予め設定されている２点の回転数でＤＣファンモータを運転することにより、その時のモータ出力値の差からユニット自身で機外静圧を判定し、該機外静圧に基づいて静圧設定毎の回転数テーブルから定格の風量が得られるようにＤＣファンモータの回転数を設定することによって、風量の調整を迅速に行うことができる。従って、空気調和機を指示された風量を確保して運転し、機外静圧が高い場合の風量ダウンによる能力低下や機外静圧が低い場合の風量アップによるドラフトを防止することができる。また、２点の回転数でのモータ出力値の差から、機外静圧を判定するようにしているため、コントローラ側の回路部品や電源電圧あるいはモータ出力値等のバラツキを吸収し、風量を精度よく調整することができる。
【００１０】
さらに、本発明の空気調和機の風量調整装置は、上記の空気調和機の風量調整装置において、前記風量調整回路は、前記ＤＣファンモータを予め設定されている２点の回転数Ａ，Ｂで運転する運転指令手段と、該運転指令手段からの指令により前記モータ制御回路から前記ＤＣファンモータに出力されるモータ出力値を読み取り、そのモータ出力値の差を算出する演算手段と、該演算手段により算出されたモータ出力値の差から判定表に基づいて機外静圧を判定する判定手段と、その機外静圧に基づいて前記静圧設定毎の回転数テーブルから定格風量が得られるように前記ＤＣファンモータの回転数を設定する回転数設定手段と、前記判定表、静圧設定毎の回転数テーブル等のデータを記憶する記億手段とから構成されていることを特徴とする。
【００１１】
本発明によれば、風量調整回路が、ＤＣファンモータを予め設定されている２点の回転数Ａ，Ｂで運転する運転指令手段と、該運転指令手段からの指令によりモータ制御回路からＤＣファンモータに出力されるモータ出力値を読み取り、そのモータ出力値の差を算出する演算手段と、該演算手段により算出されたモータ出力値の差から判定表に基づいて機外静圧を判定する判定手段と、その機外静圧に基づいて静圧設定毎の回転数テーブルから定格風量が得られるようにＤＣファンモータの回転数を設定する回転数設定手段と、判定表、静圧設定毎の回転数テーブル等のデータを記憶する記億手段とから構成されているため、空気調和機の据え付け後において、運転指令手段の指令により予め設定されている２点の回転数Ａ，ＢでＤＣファンモータを運転し、その時のモータ出力値を読み取り、その出力値の差を演算手段により演算し、その値から判定手段により機外静圧を判定し、該機外静圧に基づいて静圧設定毎の回転数テーブルから、回転数設定手段により定格風量が得られるようにＤＣファンモータの回転数を設定することができる。従って、ダクトの長さや径、形状等により変わる機外静圧をユニット自身で判定し、その機外静圧において定格の風量が得られるように、風量を迅速にかつ精度よく調整することができる。
【００１２】
さらに、本発明の空気調和機の風量調整装置は、上記の空気調和機の風量調整装置において、前記モータ制御回路から前記ＤＣファンモータに出力される前記出力値は、回転数指令電圧ＶｓｐＡおよびＶｓｐＢとされ、前記演算手段は、前記回転数指令電圧ＶｓｐＡおよびＶｓｐＢを読み取り、その差ΔＶｓｐを算出し、前記判定手段は、前記演算手段により算出されたΔＶｓｐに基づいて前記吹出しダクト側の機外静圧を判定し、前記回転数設定手段は、その機外静圧に基づいて静圧設定毎の回転数テーブルからＤＣファンモータの回転数を設定する機能を有していることを特徴とする。
【００１３】
本発明によれば、モータ制御回路からＤＣファンモータに出力される出力値が、回転数指令電圧ＶｓｐＡおよびＶｓｐＢとされ、演算手段が、回転数指令電圧ＶｓｐＡおよびＶｓｐＢを読み取り、その差ΔＶｓｐを算出し、判定手段が、演算手段により算出されたΔＶｓｐに基づいて機外静圧を判定し、回転数設定手段が、その機外静圧に基づいて静圧設定毎の回転数テーブルからＤＣファンモータの回転数を設定する機能を有するため、通常の運転時にモータ制御回路からＤＣファンモータに出力される出力値（指令値）と同じ２点の回転数での回転数指令電圧ＶｓｐＡおよびＶｓｐＢを読み取って、その差ΔＶｓｐを算出し、その値から機外静圧をユニット自身で判定し、該機外静圧に基づいて、それに対応したＤＣファンモータの回転数を設定することができる。従って、印加電圧を増減して繰り返し運転する必要がなく、比較的簡単にかつ迅速に機外静圧を判定し、その機外静圧において定格の風量が得られるように、風量を精度よく調整することができる。
【発明の効果】
【００１４】
本発明によると、空気調和機を据え付け後、予め設定されている２点の回転数でＤＣファンモータを運転することにより、その時のモータ出力値の差からユニット自身で機外静圧を判定し、該機外静圧に基づいて静圧設定毎の回転数テーブルから定格の風量が得られるようにＤＣファンモータの回転数を設定することによって、風量の調整を迅速に行うことができるため、空気調和機を指示された風量を確保して運転し、機外静圧が高い場合の風量ダウンによる能力低下や機外静圧が低い場合の風量アップによるドラフトを防止することができる。また、２点の回転数でのモータ出力値の差から、機外静圧を判定するようにしているため、コントローラ側の回路部品や電源電圧あるいはモータ出力値等のバラツキを吸収し、風量を精度よく調整することができる。
【図面の簡単な説明】
【００１５】
【図１】本発明の一実施形態に係るダクト形空気調和機の設置状態の一例を示す概略側面図である。
【図２】図１に示すダクト形空気調和機のＤＣファンモータの制御回路図である。
【図３】図２に示すＤＣファンモータの制御回路図による風量調整時の制御フロー図である。
【図４】風量調整時におけるＤＣファンモータの回転指令のタイミングチャートである。
【図５】風量調整時におけるＤＣファンモータの回転数とモータ出力（Ｖｓｐ）と静圧との関係を示すグラフである。
【図６】風量調整時におけるモータ出力差（Ｖｓｐ）から静圧設定Ｎｏを選択する判定表の一例である。
【図７】風量調整時におけるＤＣファンモータの回転数設定に用いる静圧設定毎の回転数テーブルの一例である。
【発明を実施するための形態】
【００１６】
以下に、本発明の一実施形態について、図１ないし図７を参照して説明する。
図１には、本発明の一実施形態に係るダクト形空気調和機の設置状態の一例を示す概略側面図が示され、図２には、そのＤＣファンモータの制御回路図が示されている。本実施形態においては、ダクト形空気調和機の一例として、天井に埋め込み設置されるダクトタイプの空気調和機が例示されている。
このダクト形空気調和機１のユニット本体２は、図１に示されるように、建屋の梁等に鉛直方向に設けられる複数本の吊りボルトを介して天井内に吊り下げ設置されるようになっている。なお、屋外に設置される室外機は、図示省略されている。
【００１７】
このダクト形空気調和機１は、室内から吸込みグリル３、消音チャンバー４および吸込みダクト５を介して吸込んだ室内空気を冷媒と熱交換させて冷却または加熱した後、吹出しダクト６、吹出しユニット７および吹出しグリル８等を介して室内に吹出すように構成されている。吹出しダクト６は、吹出しユニット７の配設位置等により、その長さ、径および形状等が様々変化されるものである。なお、天井面９には、ダクト形空気調和機１のユニット本体２を点検あるいはメンテナンスするための点検口１０が設けられている。
【００１８】
ユニット本体２は、箱形とされており、その内部には、冷媒と室内空気とを熱交換する室内熱交換器１１、室内空気を循環する複数組のシロッコファンおよびＤＣモータからなるＤＣファンモータ１２、室内熱交換器１１で発生したドレン水を受けるドレンパン、ドレンパン内に溜まったドレン水を外部に排出するドレンポンプ（ドレンパンおよびドレンポンプは図示省略）等が組み込まれている。また、外部には、前後側面に吸込みダクト５および吹出しダクト６が接続される吸込み口１３および吹出し口１４が設けられている。
【００１９】
ＤＣファンモータ１２は、図２に示されるように、ＤＣモータ２０がコントローラ（制御基板）２１のモータ制御回路２２から出力されるモータ出力値（例えば回転数指令電圧Ｖｓｐ）に基づき、駆動回路２３を介して回転駆動されるようになっており、その回転数を回転数検出回路２４が検出し、該回転数検出回路２４からの出力ＦＧをコントローラ２１のモータ制御回路２２にフィードバックすることによって、ＤＣファンモータ１２の回転数が目標値（目標ＦＧ）となるように、目標ＦＧと回転数出力ＦＧとを比較してＤＣモータ２０への出力値（回転数指令電圧Ｖｓｐ）が調整されるように構成されている。
【００２０】
また、コントローラ２１には、主に吹出しダクト６の長さや径あるいはその形状等によって変化する圧力損失等で決まる機外静圧に対応して、ＤＣファンモータ１２の風量（回転数）を調整し、機外静圧が変わった場合においても、定格の風量が得られるようにするための風量調整回路２５が設けられている。
【００２１】
この風量調整回路２５は、ＤＣファンモータ１２（ＤＣモータ２０）を予め設定されている２点の回転数Ａ，Ｂで運転する運転指令手段２６と、該運転指令手段２６からの指令によりモータ制御回路２２を介してＤＣモータ２０に出力されているモータ出力値、すなわち回転数指令電圧ＶｓｐＡ，ＶｓｐＢを読み取り、そのモータ出力値の差ΔＶｓｐ（＝ＶｓｐＢ−ＶｓｐＡ）を算出する演算手段２７と、該演算手段２７で算出されたモータ出力値の差ΔＶｓｐから判定表３１（図６参照）に基づいて吹出しダクト６側の機外静圧を判定する判定手段２８と、その機外静圧に基づいて静圧設定毎の回転数テーブル３２（図７参照）から定格風量が得られるようにＤＣファンモータ１２の回転数を設定する回転数設定手段２９と、上記判定表３１、静圧設定毎の回転数テーブル３２等のデータを記憶する記億手段３０等とから構成されている。
【００２２】
また、風量調整回路２５は、運転指令手段２６からの指令によって、図３に示されるように、先ず、ステップＳ１において、ＤＣファンモータ１２を予め設定されている回転数Ａｒｐｍで数分間運転し、続いてステップＳ２において、予め設定されている回転数Ｂｒｐｍで数分間運転する。この運転は、送風モードにて運転とされる。図４は、この運転のタイミングチャートを示すものであり、それぞれ数分間のＡｒｐｍおよびＢｒｐｍの指令運転が終了前の１分間において、ファンモータＤｕｔｙがサンプリングされるようになっている。
【００２３】
このＡｒｐｍおよびＢｒｐｍの２点でのそれぞれの回転数時のファンモータＤｕｔｙのサンプリングは、図５に示されるように、ＤＣファンモータ１２の回転数（ｒｐｍ）とモータ出力（Ｖｓｐ）と静圧との関係グラフから、ΔＶｓｐＡおよびΔＶｓｐＢを読み取ることにより行われる。演算手段２７は、ステップＳ３において、図５上のΔＶｓｐＡおよびΔＶｓｐＢを読み取り、その差ΔＶｓｐ（ΔＶｓｐ＝ΔＶｓｐＢ−ΔＶｓｐＡ）を算出するものである。
【００２４】
ステップＳ３において、モータ出力値（ΔＶｓｐＡおよびΔＶｓｐＢ）の差ΔＶｓｐが算出されると、ステップＳ４に移行される。ここで、判定手段２８は、演算手段２７によって算出された演算値ΔＶｓｐを用い、記億手段３０に記億されている、例えば図６に示す機種毎のモータ出力差（ΔＶｓｐ）による静圧設定Ｎｏの判定表に基づいて、該当する静圧設定Ｎｏを選択することによって、当該空気調和機１の機外静圧が判定されるようになっている。
【００２５】
ステップＳ４で静圧設定Ｎｏが選択され、機外静圧が判定されると、ステップＳ５に移行され、ここで、記億手段３０に記億されている、例えば図７に示す静圧設定毎の回転数テーブル３２に基づいて、回転数設定手段２９が、選択された静圧設定Ｎｏの静圧設定毎の回転数テーブル３２から定格の風量が得られるように、ＤＣファンモータ１２の回転数が設定される。例えば、図７に示される機種において、静圧設定Ｎｏ．３が選択され、機外静圧が３０Ｐａと判定された場合、指示風量が、１３ｍ３／ｍｉｎのとき、ＤＣファンモータ１２は、Ｕｈｉ２タップにより１０３０ｒｐｍで回転されるようになり、同様に指示風量が、９ｍ３／ｍｉｎのとき、ＤＣファンモータ１２は、Ｍｅタップにより７６０ｒｐｍで回転されることになる。
【００２６】
以上に説明の構成により、本実施形態によれば、以下の作用効果を奏する。
上記ダクト形空気調和機１が運転されると、ＤＣファンモータ１２が駆動され、室内空気が吸込みグリル３、消音チャンバー４および吸込みダクト５を介してユニット本体２内に吸込まれる。この空気は、室内熱交換器１１で室外機から供給される冷媒と熱交換されて冷却または加熱された後、吹出しダクト６、吹出しユニット７および吹出しグリル８を介して室内に吹出され、室内の空調に供される。
【００２７】
かかるダクト形空気調和機１では、吹出しダクト６側の長さや径あるいはその形状等により通風抵抗が変わり、それによって決まる機外静圧の大小で吹出し風量が変化することから、据え付け時に風量を調整し、機外静圧の如何にかかわらず定格の風量が得られるようにしなければならない。
【００２８】
そこで、本実施形態では、空気調和機１の据え付け時、風量調整回路２５によって予め設定されている２点の回転数Ａｒｐｍ，ＢｒｐｍでＤＣファンモータ１２を運転し、その際にモータ制御回路２２側からＤＣファンモータ１２に出力されるモータ出力値、すなわち回転数指令電圧ＶｓｐＡ，ＶｓｐＢを読み取り、そのモータ出力値ＶｓｐＡ，ＶｓｐＢの差ΔＶｓｐからユニット自身で機外静圧を判定し、該機外静圧に基づいて静圧設定毎の回転数テーブル３１から定格の風量が得られるようにＤＣファンモータ１２の回転数を設定するようにしている。
【００２９】
具体的には、運転指令手段２６の指令によって、予め設定されている２点の回転数Ａｒｐｍ，ＢｒｐｍでＤＣファンモータ１２を運転し、その時のコントローラ２１からＤＣファンモータ１２への出力値である回転数指令電圧ＶｓｐＡ，ＶｓｐＢを読み取り、その出力値の差ΔＶｓｐを演算手段２７により演算し、その値ΔＶｓｐから判定手段２８により判定表３１に基づいて機外静圧を判定し、該機外静圧に基づいて静圧設定毎の回転数テーブル３２から、回転数設定手段２９を介して定格の風量が得られるようにＤＣファンモータ１２の回転数を設定することによって、風量の調整を迅速に行うことができる。
【００３０】
斯くして、本実施形態によれば、空気調和機１を指示された風量を確保して運転し、機外静圧が高い場合の風量ダウンによる能力低下や機外静圧が低い場合の風量アップによるドラフトを防止することができる。また、２点の回転数Ａｒｐｍ，Ｂｒｐｍでのモータ出力値ＶｓｐＡ，ＶｓｐＢの差ΔＶｓｐから機外静圧を判定するようにしているため、コントローラ２１側の回路部品や電源電圧あるいはモータ出力値等のバラツキを吸収し、風量を精度よく調整することができる。つまり、吹出しダクト６の長さ、径、形状等によって変化する機外静圧をユニット自身で判定し、その機外静圧において定格の風量が得られるように、風量を迅速にかつ精度よく調整することができる。
【００３１】
また、本実施形態では、モータ制御回路２２からＤＣファンモータ２１に出力される出力値が、回転数指令電圧ＶｓｐＡおよびＶｓｐＢとされ、演算手段２７が回転数指令電圧ＶｓｐＡおよびＶｓｐＢを読み取ってその差ΔＶｓｐを算出し、判定手段２８が演算手段２７により算出されたΔＶｓｐから判定表３１に基づいて機外静圧を判定し、回転数設定手段２９がその機外静圧に基づいて静圧設定毎の回転数テーブル３２からＤＣファンモータ１２の回転数を設定する機能を有する構成とされている。
【００３２】
このため、通常の運転時にモータ制御回路２２からＤＣファンモータ１２に出力される出力値（指令値）と同じ２点の回転数Ａｒｐｍ，Ｂｒｐｍでの回転数指令電圧ＶｓｐＡおよびＶｓｐＢを読み取って、その差ΔＶｓｐを算出し、その値から吹出しダクト６等によって変化する機外静圧をユニット自身で判定し、該機外静圧に基づいて、それに対応したＤＣファンモータ１２の回転数を設定することができる。従って、印加電圧を増減して繰り返し運転する必要がなく、比較的簡単にかつ迅速に機外静圧を判定し、その機外静圧において定格の風量が得られるように、風量を精度よく調整することができる。
【００３３】
なお、本発明は、上記実施形態にかかる発明に限定されるものではなく、その要旨を逸脱しない範囲において、適宜変形が可能である。例えば、上記実施形態では、ＤＣファンモータ１２としてシロッコファンを用いた例について説明したが、これに限定されるものではなく、ファンとして他のプロペラファン等を用いたものにも同様に適用できることはもちろんである。また、吹出しダクト６、吹出しユニット７および吹出しグリル８等については、いかなる形状、構成のものであってもよく、特に制約されるものではない。
【００３４】
さらに、上記実施形態では、ユニット本体２の吸込み側に消音チャンバー４および吸込みダクト５を接続しているものについて説明したが、ユニット本体２の下面に吸込み口を設け、この吸込み口より室内空気をユニット本体２内に直接吸込むように構成した空気調和機１にも同様に適用できることはもちろんである。また、上記実施形態では、モータ制御回路２２からＤＣファンモータ１２に出力される出力値（指令値）を回転数指令電圧Ｖｓｐとしているが、必ずしも回転数指令電圧Ｖｓｐである必要はなく、他の指令値を用いてもよい。
【符号の説明】
【００３５】
１  空気調和機
２  ユニット本体
６  吹出しダクト
１１  室内熱交換器
１２  ＤＣファンモータ
２０  ＤＣモータ
２１  コントローラ（制御基板）
２２  モータ制御回路
２３  駆動回路
２４  回転数検出回路
２５  風量調整回路
２６  運転指令手段
２７  演算手段
２８  判定手段
２９  回転数設定手段
３０  記億手段
３１  判定表
３２  静圧設定毎の回転数テーブル
Ｖｓｐ  回転数指令電圧（モータ出力値）
【図１】
2012241969.tif 000003
【図２】
2012241969.tif 000004
【図３】
2012241969.tif 000005
【図４】
2012241969.tif 000006
【図５】
2012241969.tif 000007
【図６】
2012241969.tif 000008
【図７】
2012241969.tif 000009